(57)【要約】      （修正有）【課題】極位置を示す凹部を有さない極異方性リング磁石の極位置を特定し、簡便に極異方性リング磁石を用いたローターを製造する方法を提供する。【解決手段】製造装置において、非磁性の円筒体と非磁性の円筒体の周方向にに極異方性リング磁石１４の極数分の磁石を隣り合う磁石の磁極が異なるように周方向に沿って等配した極位置位置決め治具２０と、レールと、を有し、極異方性リング磁石の極位置を極位置位置決め治具の磁石位置に合わせることで、極位置を示す凹部等が無い極異方性リング磁石の極位置を特定する。【選択図】図６
2020161784.tif 000002
【特許請求の範囲】
【請求項１】
非磁性の円筒体の内周面側に極異方性リング磁石の極数分の磁石を隣り合う磁石の磁極が異なるように周方向に沿って等配した極位置位置決め治具と、前記極位置位置決め治具の軸方向の両端側に配置されたレールと、前記極位置位置決め治具の一方端側に配置した極異方性リング磁石押し込み手段と、前記極位置位置決め治具の他端側に配置した極位置マーキング手段を有することを特徴とする極異方性リング磁石の製造装置。
【請求項２】
非磁性の円筒体の内周面側に極異方性リング磁石の極数分の磁石を隣り合う磁石の磁極が異なるように周方向に沿って等配した極位置位置決め治具を準備する工程と、前記極位置位置決め治具に、極位置を示す凹部を有さない極異方性リング磁石を前記極位置位置決め治具と同軸に挿入し、前記極位置を示す凹部を有さない極異方性リング磁石を回転させ、前記極位置を示す凹部を有さない極異方性リング磁石の極位置と前記極位置位置決め治具の磁石の周方向の位置を合わせる工程と、前記極位置を示す凹部を有さない極異方性リング磁石の極位置を周方向で保ったまま前記極位置位置決め治具から排出させる工程と、前記極位置を示す凹部を有さない極異方性リング磁石の極位置の少なくとも一つにマーキングする工程を有することを特徴とする極異方性リング磁石の製造方法。
【請求項３】
非磁性の円筒体の内周面側に極異方性リング磁石の極数分の磁石を隣り合う磁石の磁極が異なるように周方向に沿って等配した極位置位置決め治具と、前記極位置位置決め治具の軸方向の両端側に配置されたレールと、前記極位置位置決め治具の一方端側に配置した極異方性リング磁石押し込み手段と、前記極位置位置決め治具の他端側に配置した極異方性リング磁石をローターヨークに同軸かつ極異方性リング磁石の極位置とローターヨークの溝部を周方向で一致させてローターヨークに搭置する移載手段と、ローターヨークを移動するローターヨーク移動手段とを有することを特徴とする極異方性リング磁石を用いたローターの製造装置。
【請求項４】
非磁性の円筒体の内周面側に極異方性リング磁石の極数分の磁石を隣り合う磁石の磁極が異なるように周方向に沿って等配した極位置位置決め治具を準備する工程と、前記極位置位置決め治具に、極位置を示す凹部を有さない極異方性リング磁石を前記極位置位置決め治具と同軸に挿入し、前記極位置を示す凹部を有さない極異方性リング磁石を回転させ、前記極位置を示す凹部を有さない極異方性リング磁石の極位置と前記極位置位置決め治具の磁石の周方向の位置を合わせる工程と、前記極位置を示す凹部を有さない極異方性リング磁石の極位置を周方向で保ったまま前記極位置位置決め治具から排出させる工程と、ローターヨークをローターヨーク移動装置により移動するとともに、ローターヨーク及び/またはシャフトの溝部を一定位置になるように回転する工程と、前記極位置を示す凹部を有さない極異方性リング磁石の極位置を周方向で保ったまま、前記ローターヨークに挿入配置する工程を含むことを特徴とする極位置を示す凹部を有さない極異方性リング磁石を用いたローターの製造方法。
【請求項５】
非磁性の円筒体の周方向に極異方性リング磁石の極数分の溝を有し、該溝の溝数−１の磁石を隣り合う磁極が異なるようにかつ磁石の無い溝を挟む磁石は同極となるように配置し、磁石の無い溝にマーキング孔を有する極位置位置決め治具と、前記極位置位置決め治具の軸方向の両端側に配置されたレールと、前記極位置位置決め治具の一方端側に配置した極異方性リング磁石押し込み手段と、前記マーキング孔を通じて、マーキングを行う極位置マーキング手段を有することを特徴とする極異方性リング磁石の製造装置。
【請求項６】
非磁性の円筒体の周方向に極異方性リング磁石の極数分の溝を有し、該溝の溝数−１の磁石を隣り合う磁極が異なるようにかつ磁石の無い溝を挟む磁石は同極となるように配置しかつ磁石の無い溝に開けられたマーキング孔を有する極位置位置決め治具を準備する工程と、前記極位置位置決め治具に、極位置を示す凹部を有さない極異方性リング磁石を前記極位置位置決め治具と同軸に挿入し、前記極位置を示す凹部を有さない極異方性リング磁石を回転させ、前記極位置を示す凹部を有さない極異方性リング磁石の極位置と前記極位置位置決め治具の磁石の周方向の位置を合わせる工程と、前記極位置を示す凹部を有さない極異方性リング磁石の極位置の少なくとも一つにマーキング孔を通じてマーキングする工程と、前記極位置を示す凹部を有さない極異方性リング磁石を前記極位置位置決め治具から排出させる工程を有することを特徴とする極異方性リング磁石の製造方法。
【請求項７】
非磁性の円筒体の周方向に極異方性リング磁石の極数分の溝を有し、該溝の溝数−１の磁石を隣り合う磁極が異なるようにかつ磁石の無い溝を挟む磁石は同極となるように配置し、磁石の無い溝にはマーキング孔を有する極位置位置決め治具。
【発明の詳細な説明】
【技術分野】
【０００１】
本発明は、各種モータに使用される極異方性リング磁石及び極異方性リング磁石を用いたローター並びに極異方性リング磁石の極位置を位置決めする治具に関する。
【背景技術】
【０００２】
従来、極異方性リング磁石はモータの小型化、高性能化に伴い性能の向上が図られ、小型化、多極化の方向に進みつつある。極異方性リング磁石はステッピングモータ等の回転子(ローター)用磁石として広く使用されている。
【０００３】
極異方性リング磁石の着磁は、当該極異方性リング磁石の極数と同じ極数となるように構成した巻線部を有する着磁治具内に極異方性リング磁石を挿入しパルス磁場等を印加して行う。この場合、極異方性リング磁石の極と着磁ヨークの極がずれていると、着磁磁場によって、極異方性リング磁石は着磁ヨークの極に倣って回転する。この際、極異方性リング磁石の外周面に傷がつく恐れがある。また挿入した際の極位置のずれが大きい場合には、着磁が十分に行われない場合がある。
【０００４】
特許文献１では極異方性リング磁石の極位置を着磁治具の極位置に合わせる磁気回路を有するヨークを着磁治具の上部に設け、当該ヨークで極異方性リングの極位置と着磁治具の極位置を合わせた後、着磁治具にて着磁する技術を公開している。
【先行技術文献】
【特許文献】
【０００５】
【特許文献１】特開昭６０−２５０６１７号公報
【発明の概要】
【発明が解決しようとする課題】
【０００６】
極異方性リング磁石を用いてローターを構成する場合、ローターのシャフトの周方向の定点と極異方性リング磁石の極の位置を合わせておく必要がある。ローターを組み込んでモータとした際にモータの制御は極位置を基準にして行う必要があるからである。
特許文献１の方法では、極異方性リング磁石の極位置と着磁治具の極位置を合わせることはできるが、着磁された極異方性リング磁石の極位置は目視確認できないので、極位置は別に磁性体等を用いて確認し、しかる後にマーキング等を行う必要がある。
【０００７】
極異方性リング磁石を用いてローターを構成する場合、極異方性リング磁石単体で着磁しその後ローターヨークに挿入配置するという製造方法がある。一方で、現実的には無着磁の極異方性リング磁石をローター大径部に挿入した後に着磁するという工程が取られる場合が多い。着磁後の磁石の取り回しは簡単ではなく、ローターの状態の方が機械組み立てに適するという理由からである。
【０００８】
無着磁の状態で極異方性リング磁石をローター大径部に挿入配置するためには、あらかじめ極異方性リング磁石の極位置の少なくとも一つを知る必要がある。図１及び図２に従来のローター、ローターヨーク及び極異方性リング磁石を示す。図１は極異方性リング磁石を用いたローターの斜視図（Ａ）、及びローターヨーク９の斜視図（Ｂ）である。図２は極異方性リング磁石の平面図及び平面図（Ｃ）及び平面図（Ｃ）のＤ-Ｄ断面図（Ｅ）である。
極異方性リング磁石の極位置の一つを無着磁の状態で知るために、極異方性リング磁石の成形時に成形金型の一部に凸部を設け、極異方性リング磁石２の極位置の一つに対応する位置に凹部３を設けている。図１、図２Ａの破線７は極異方性リング磁石２の配向の様子を模式的に占めしたものである。
なお本明細書ではローターヨークと呼称するが必ずしも磁性体である必要は無く非磁性体であっても使用することはできる。
【０００９】
ローター１は極位置に凹部３を有する極異方性リング磁石２とローター大径部６とローター大径部６の中心部を貫通するシャフト４とで構成される。シャフト４の片方の端部にはＤカット５が設けられ、Ｄカット５と凹部３の周方向の位置が一致するように、極異方性リング磁石２は公知の方法にてシャフト大径部６に固着されている。      
【００１０】
粉末冶金法で極異方性リング磁石の一部に凹部を有するように製造(成形)すると、磁石の凹部を起点として亀裂が入り、磁石の合格率を低下させるという問題が発生する。
また凹部を有する磁石は製造コストが上がり値段を下げにくいという問題が発生する。
【００１１】
本発明は斯かる事情に鑑みてなされたものであり、極異方性リング磁石の端部に極位置に合わせ凹部を設けなくても、極位置を知ることができる極異方性リング磁石の製造装置及び製造方法並びに前記製造方法及び製造方法によって得られた極位置に合わせた凹部を有しない極異方性リング磁石の極位置とローターのシャフトのＤカットに極異方性リング磁石の極位置の少なくとも一つを合わせてローターを構成することができるローターの製造装置及び製造方法及び極異方性リング磁石の極位置を知ることができる極位置位置決め治具を提供することを目的とする。
【課題を解決するための手段】
【００１２】
本発明に係る極異方性リング磁石の製造装置は、非磁性の円筒体の内周面側に極異方性リング磁石の極数分の磁石を隣り合う磁石の磁極が異なるように周方向に沿って等配した極位置位置決め治具と、前記極位置位置決め治具の軸方向の両端側に配置されたレールと、前記極位置位置決め治具の一方端側に配置した極異方性リング磁石押し込み手段と、前記極位置位置決め治具の他端側に配置した極位置マーキング手段を有することを特徴とする極異方性リング磁石の製造装置である。
【００１３】
本発明によれば、極位置を示す凹部を有さない極異方性リング磁石の極位置に簡便にマーキングをする製造装置を提供することができる。
【００１４】
本発明に係る極位置を示す凹部を有さない極異方性リング磁石の製造方法は、非磁性の円筒体の内周面側に極異方性リング磁石の極数分の磁石を隣り合う磁石の磁極が異なるように周方向に沿って等配した極位置位置決め治具を準備する工程と、前記極位置位置決め治具に、極位置を示す凹部を有さない極異方性リング磁石を前記極位置位置決め治具と同軸に挿入し、前記極位置を示す凹部を有さない極異方性リング磁石を回転させ、前記極位置を示す凹部を有さない極異方性リング磁石の極位置と前記極位置位置決め治具の磁石の周方向の位置を合わせる工程と、前記極位置を示す凹部を有さない極異方性リング磁石の極位置を周方向で保ったまま前記極位置位置決め治具から排出させる工程と、前記極位置を示す凹部を有さない極異方性リング磁石の極位置の少なくとも一つにマーキングする工程を有することを特徴とする極異方性リング磁石の製造方法である。
【００１５】
本発明によれば、極位置を示す凹部を有さない極異方性リング磁石の極位置に簡便にマーキングをする製造方法を提供することができる。
【００１６】
本発明に係る極異方性リング磁石を用いたローターの製造装置は、非磁性の円筒体の内周面側に極異方性リング磁石の極数分の磁石を隣り合う磁石の磁極が異なるように周方向に沿って等配した極位置位置決め治具と、前記極位置位置決め治具の軸方向の両端側に配置されたレールと、前記極位置位置決め治具の一方端側に配置した極異方性リング磁石押し込み手段と、前記極位置位置決め治具の他端側に配置した極異方性リング磁石をローターヨークに同軸かつ極異方性リング磁石の極位置とローターヨークの溝部を周方向で一致させてローターヨークに搭置する移載手段と、ローターヨークを移動するローターヨーク移動手段とを有することを特徴とする極異方性リング磁石を用いたローターの製造装置。
【００１７】
本発明によれば、簡便な装置で極位置を示す凹部を有さない極異方性リング磁石の極位置とローターヨークの溝部とを一致させてローターヨークを製造することが可能となる。
【００１８】
本発明に係る極位置を示す凹部を有さない極異方性リング磁石を用いたローターの製造方法は、非磁性の円筒体の内周面側に極異方性リング磁石の極数分の磁石を隣り合う磁石の磁極が異なるように周方向に沿って等配した極位置位置決め治具を準備する工程と、前記極位置位置決め治具に、極位置を示す凹部を有さない極異方性リング磁石を前記極位置位置決め治具と同軸に挿入し、前記極位置を示す凹部を有さない極異方性リング磁石を回転させ、前記極位置を示す凹部を有さない極異方性リング磁石の極位置と前記極位置位置決め治具の磁石の周方向の位置を合わせる工程と、前記極位置を示す凹部を有さない極異方性リング磁石の極位置を周方向で保ったまま前記極位置位置決め治具から排出させる工程と、ローターヨークをローターヨーク移動装置により移動するとともに、ローターヨークの溝部及び/またはシャフトのＤカット部を一定位置になるように回転する工程と、前記極位置を示す凹部を有さない極異方性リング磁石の極位置を周方向で保ったまま、前記ローターヨークに挿入配置する工程を含むことを特徴とする極位置を示す凹部を有さない極異方性リング磁石を用いたローターの製造方法。
【００１９】
本発明によれば、簡便な装置で極位置を示す凹部を有さない極異方性リング磁石の極位置とローターヨークの溝部とを一致させてローターを製造することが可能となる。
【００２０】
本発明に係る極異方性リング磁石の製造装置は、非磁性の円筒体の周方向に極異方性リング磁石の極数分の溝を有し、該溝の溝数−１の磁石を隣り合う磁極が異なるようにかつ磁石の無い溝を挟む磁石は同極となるように配置し、磁石の無い溝にマーキング孔を有する極位置位置決め治具と、前記極位置位置決め治具の軸方向の両端側に配置されたレールと、前記極位置位置決め治具の一方端側に配置した極異方性リング磁石押し込み手段と、前記マーキング孔を通じて、マーキングを行う極位置マーキング手段を有することを特徴とする極異方性リング磁石の製造装置である。
【００２１】
本発明によれば、極位置を示す凹部を有さない極異方性リング磁石の極位置に極位置位置決め治具内にて簡便にマーキングをする製造装置を提供することができる。
【００２２】
本発明に係る極位置を示す凹部を有さない極異方性リング磁石の製造方法は、非磁性の円筒体の周方向に極異方性リング磁石の極数分の溝を有し、該溝の溝数−１の磁石を隣り合う磁極が異なるようにかつ磁石の無い溝を挟む磁石は同極となるように配置しかつ磁石の無い溝に開けられたマーキング孔を有する極位置位置決め治具を準備する工程と、前記極位置位置決め治具に、極位置を示す凹部を有さない極異方性リング磁石を前記極位置位置決め治具と同軸に挿入し、前記極位置を示す凹部を有さない極異方性リング磁石を回転させ、前記極位置を示す凹部を有さない極異方性リング磁石の極位置と前記極位置位置決め治具の磁石の周方向の位置を合わせる工程と、前記極位置を示す凹部を有さない極異方性リング磁石の極位置の少なくとも一つにマーキング孔を通じてマーキングする工程と、前記極位置を示す凹部を有さない極異方性リング磁石を前記極位置位置決め治具から排出させる工程を有することを特徴とする極異方性リング磁石の製造方法である。
【００２３】
本発明によれば、極位置を示す凹部を有さない極異方性リング磁石の極位置に簡便にマーキングをする製造方法を提供することができる。
【００２４】
本発明の極位置位置決め治具は非磁性の円筒体の周方向に極異方性リング磁石の極数分の溝を有し、該溝の溝数−１の極位置位置決め磁石を隣り合う磁極が異なるようにかつ磁石の無い溝を挟む前記極位置位置決め磁石は同極となるように配置し、磁石の無い溝にはマーキング孔を有する極位置位置決め治具である。
【００２５】
本発明によれば、極異方性リング磁石の極位置に簡単な方法にてマーキングを行うことができる。
【発明の効果】
【００２６】
本発明の極異方性リング磁石の製造装置及び製造方法並びにその製造装置及び製造方法によって得られた極異方性リング磁石を用いたローターの製造装置及び製造方法によれば、磁石の端面から周面にかけて磁極部を示す凹部が不要となるので、き裂などの不良発生が少なく、また金型に凸部を設ける等の加工が不要となるので、製造コストを低減することができる。また本発明の極位置位置決め治具によれば簡単に極異方性リング磁石の極位置にマーキングをすることができる。
【図面の簡単な説明】
【００２７】
【図１】極異方性リング磁石を用いたローターの斜視図(従来例)（Ａ）及び円筒体の斜視図（Ｂ）.
【図２】従来例の極異方性リング磁石の平面図（Ｃ）及び平面図（Ｃ）のＤ−Ｄ断面図（Ｅ）。
【図３】本発明に用いる極位置位置決め治具のヨークの平面図（Ｆ）及び平面図（Ｆ）のＧ−Ｇ断面図（Ｈ）。
【図４】本発明に用いる極位置位置決め治具の平面図（Ｉ）及び平面図（Ｉ）のＫ−Ｋ断面図（Ｊ）。
【図５】本発明に用いる極位置位置決め治具に極異方性リング磁石を配置した平面図。極位置位置決め治具の磁石と極異方性リング磁石の極位置がずれている様子。（Ｌ）、極位置位置決め治具の磁石と極異方性リング磁石の極位置が一致しいる様子（Ｍ）。
【図６】本発明の極異方性リング磁石の製造装置の一例を示す斜視図である。
【図７】本発明の極異方性リング磁石を用いたローターの製造装置の一例を示す斜視図である。
【図８】第一の実施形態を示す極異方性リング磁石を用いたローターの斜視図である。
【図９】第二の実施形態を示す極異方性リング磁石を用いたローターの斜視図である。
【図１０】第三の実施形態を示す極位置位置決め治具の上面図（Ｐ）及び平面図（Ｑ）である。
【図１１】極位置位置決め治具の斜視図である。
【図１２】極異方性リング磁石の一例を示す平面図（Ｏ）及び側面図（Ｎ）である。
【図１３】極位置位置決め治具へ極異方性リング磁石（４極）を挿入した場合の斜視図である。
【図１４】極位置位置決め治具に挿入した極異方性リング磁石（４極）が回転し極位置が合う状況を示す平面図である。（Ｒ）は挿入した後、（Ｓ）は極位置が極位置位置決め磁石と合った様子。
【図１５】本発明の極異方性リング磁石製造装置の一例を示す斜視図である。
【発明を実施するための形態】
【００２８】
以下、本発明をその実施形態を示す図面に基づいて詳述する。
【００２９】
図３は本発明に用いる極位置位置決め治具の円筒体１０を示す平面図（Ｆ）及びＧ−Ｇ断面図Ｈである。図４は極位置位置決め治具２０の平面図（Ｉ）及びＫ−Ｋ断面図（Ｊ）である。
円筒体１０は筒状をしており、内周面側から放射状に外周面側に向かってのびる溝１２と溝の先には断面矩形の貫通孔１１を有する。貫通孔１１には極位置位置決め磁石１３が挿入配されている。極位置位置決め磁石１３は断面矩形の貫通孔１１に挿入可能なように矩形形状をしており、隣り合う磁極の向きがそれぞれ異なるように配置されている。極位置位置決め磁石１３の磁極は極位置位置決め治具の中心軸に向かう方向又は中心軸から離れる方向に放射状となるようにしてある。
溝１１は極位置位置決め治具の円筒体１０に貫通孔１１を加工により作る際のワイヤーソーの歯の入り口となる溝である。１５はスペーサでありワイヤーソーで形成した貫通孔１１の長さが極位置位置決め磁石１３の長手方向に対して長い場合に用いる。スペーサ１５の材質は磁性体でも非磁性体でも良い。このような構成で極位置位置決め治具２０を構成する。なお極位置位置決め治具２０の軸方向の長さが極位置位置決め磁石１３の軸方向の長さと同じの場合にはスペーサ１５は不要である。
【００３０】
図５は極位置位置決め治具２０に極異方性リング磁石１４を挿入した際に極位置位置決め磁石１３に吸引され、極異方性リング磁石１４の磁極Ｐが極位置位置決め磁石１３の位置に回転する様子を示した図である。破線７は極異方性リング磁石１４の配向の様子を示している。
極異方性リング磁石１４を極位置位置決め治具２０の内周面側に挿入した場合、極異方性リング磁石１４の磁極の位置Ｐは必ずしも極位置位置決め磁石１３の周方向の位置（極位置位置決め用治具２０の磁極の位置）と同じであるとは限らない（図５Ｌ）。極異方性リング磁石１４は極位置位置決め磁石１３に吸引され図５Ｌの矢印（極異方性リング磁石１４に示された矢印）のごとく回転し、図５Ｍのごとく極位置位置決め磁石１３の周方向の位置と極異方性リング磁石１４の極の位置が一致する。
このようにして、極位置を示す凹部等が無い極異方性リング磁石の極の位置を特定することができる。  
なお図４及び図５では磁石の個数を極異方性リング磁石の個数と一致させたが、必ずしも一致させる必要は無く、例えば極異方性リング磁石の極数の約数分の磁石が配置されていれば良くあるいは極異方性リング磁石の極位置が位置決めできる程度に少なくとも一つの磁石が配置されていれば良い。なお約数分の磁石を等配した際には隣り合う磁石の磁極は同極となる場合と異極となる場合があるが極位置を位置決めする磁石の極位置の磁極の向きに合わせ適宜設定する。
極異方性リング磁石は磁極は必ず異極同士が隣り合っているので、約数分の磁石を等配する際には、等配した位置における極異方性リング磁石の磁極と吸引する向きに磁石を配置すればよい。
【００３１】
（第一の実施形態）
図６は第一の実施形態を示す極異方性リング磁石の製造方法を示す斜視図である。極位置位置決め治具２０の軸方向の前後には棒状の一対のレール２４、２５が配置してあり、レール２４，２５は極位置を位置決めする極異方性リング磁石１４が極位置位置決め治具２０の中央部の孔部へ挿入、排出できるように高さと幅を調節してある。極異方性リング磁石１４は図示しない移載手段により前部のレール２４に載置される。２３は極異方性リング磁石１４を極位置位置決め治具２０に挿入するための押し込み手段（押し出し手段）であり、円盤状の頭部２１と押し込み棒２２によって構成される。    
押し込み棒２３は図示しない押し込み機構により、極異方性リング磁石１４を極位置位置決め治具２０に挿入する。極位置位置決め治具２０に挿入された極異方性リング磁石１４は前述の作用によって磁極の位置が極位置位置決め磁石の位置(磁極の位置)にそろうこととなる。
【００３２】
その後再度押し込み手段（押し出し手段）により極異方性リング磁石１４は極位置位置決め治具２０により後部のレール２５上に押しだされる。押しだされた後の極異方性リング磁石１４のそれぞれの間隔は前後の極異方性リング磁石１４の磁石の影響受けない程度に適宜設定すればよい。
２６は公知の印字手段(マーキング手段)であり、周方向に位置決めされた極異方性リング磁石１４の極位置にマーク２７を施す。
無着磁の状態で極位置にマークを施された極異方性リング磁石１４は例えば図８のごとくのシャフト４のＤカット５平面部とマーク２７の周方向の位置を一致させるようにシャフトの大径部６に固着させ、ローター５０を形成する。
【００３３】
(第二の実施形態)
図７は第二の実施形態を示す極異方性リング磁石を用いたローターの製造方法を示す斜視図である。
極位置位置決め治具２０の軸方向の前後には棒状の一対のレール２４、２５が配置してあり、レールは極位置を位置決めする極異方性リング磁石１４が極位置位置決め治具の中央部の孔部の挿入、排出できるように高さと幅を調節してある。
極異方性リング磁石１４は図示しない移載手段により前部のレール２４に載置される。２３は極異方性リング磁石１４を極位置位置決め治具２０に挿入するための押し込み手段（押し出し手段）であり、円盤状の頭部２１と押し込み棒２２によって構成される。    
押し込み棒２２は図示しない押し込み機構により、極異方性リング磁石１４を極位置位置決め治具２０に挿入する。極位置位置決め治具２０に挿入された極異方性リング磁石１４は前述の作用によって磁極位置が極位置位置決め磁石の位置(磁極の位置)にそろうこととなる。
その後再度押し込み手段（押し出し手段）により極異方性リング磁石14は極位置位置決め治具２０により後部のレール２５上に押しだされる。押しだされた後の極異方性リング磁石１４のそれぞれの間隔は前後の極異方性リング磁石１４の影響を受けない程度に適宜設定すればよい。
【００３４】
３０は極異方性リング磁石移載手段であり、周方向の極位置の定まった極異方性リング磁石１４をローターヨーク９に挿入配置する。ローターヨーク９は大径部６とシャフト４とで構成され、シャフトの一方端部にはＤカット５が設けられている。その際ローターシャフト４のＤカット部５と極異方性リング磁石１４の周方向の極位置が一致するようにする。
移載手段３０は例えば支柱部３１と開閉軸３２とつかみ部３３からなり、つかみ部３３を開閉し極異方性リング磁石１４をレール２５からつかみ取りローターヨーク９に挿入する。その際極異方性リング磁石１４の極位置が周方向で常に定位置となるように挿入するようにしてある。
４０はローターヨーク９の移動手段であり、ローターヨーク９を極異方性リング磁石１４の挿入地点まで移動する。
４１はローターシャフト４をローター移動手段４０に固定するための凹部である。  
【００３５】
ローターヨーク９は、Ｄカット５の平面部をあらかじめ周方向で固定してローターヨーク移動手段４０に載置しても良いし、矢印のように指示しない回転機構によりローターシャフト４を回転させて、Ｄカット５の平坦部と極異方性リング磁石の極位置が一致するような周方向位置にしても良い。
本実施形態によれば、図９に示すような、極異方性リング磁石の極位置とローターシャフト４のＤカット５の平面部が一致したローター６０を得ることができる。
【００３６】
（第三の実施形態）
図１０は第三の実施形態に用いる極位置位置決め治具の上面図及び平面図である。
極位置位置決め治具の構成が第一の実施形態及び第二の実施形態と異なる。図１１は同斜視図。図１２は極異方性磁石の一例。図１３は極位置位置決め治具５０へ極異方性リング１００磁石を挿入した斜視図。図１４は極位置位置決め治具５０に挿入した極異方性リング磁石１００が回転し極位置が合う様子を示す図。図１５本発明の極異方性リング磁石の製造装置の例を示す斜視図である。これらの図面を使用し、本発明を説明する。  第三の実施形態においては磁極数が４極の極異方性リング磁石１００の極位置を決める極位置位置決め治具５０について説明する。
【００３７】
図１０、図１１において極位置位置決め治具５０は円筒状であり非磁性の金属、例えば非磁性のステンレスや真鍮などからなる。外周面側には軸方向に沿って断面矩形の溝６０（６０ａ、６０ｂ）が周方向に４カ所、極位置位置決め治具５０の軸中心から９０度ずつずらして形成されている。断面矩形の溝６０は極位置位置決め治具５０の外周面側に等間隔で配置されている。
【００３８】
溝６０には極位置位置決め治具５０の径方向を磁化方向とする極位置位置決め磁石８０が３ケ、隣り合う磁石の磁化方向が異なるように配置されている。極位置位置決め磁石８０ａの磁化方向は極位置位置決め治具５０の径方向外側を向いている。極位置位置決め磁石８０ｂの磁化方向は極位置位置決め治具５０の径方向内側を向いている。極位置位置決め磁石８０ａに挟まれ、かつ極位置位置決め磁石８０ｂと対向する位置の溝６０ｂには磁石は配置されていない。当該溝６０ｂには極位置位置決め治具５０の中心孔９０に向かって貫通する線状のマーキング孔７０が穿孔されている。溝６０ａは磁石８０が挿入配置できる貫通孔であっても良い。
【００３９】
極異方性リング磁石１００は円筒形状をしており、中央部に貫通孔１２０を有する。磁極が４極になるように形成されている。点線１１０にて配向の様子を示した。
図１３にて極異方性リング磁石１００を極位置位置決め治具５０の貫通孔９０に挿入配置した状況を示した。極位置位置決め磁石８０の軸方向長さは極位置位置決め治具５０の軸方向長さと同じにしてあるが、極位置を位置決めする極異方性リング磁石磁石１００の軸方向長さと同じ長さにすればよく、さらに極位置位置決め治具５０にて位置決めする極異方性リング磁石１００が極位置位置決め治具５０内で十分に回転する長さであれば良い。また極位置位置決め磁石８０の大きさ（幅や厚さ）は極異方性リング磁石１００が極位置位置決め治具５０内で十分に回転する長さであれば良い。
【００４０】
図１４にて極異方性リング磁石１００を極位置位置決め治具５０に挿入した際に極異方性リング磁石１００の極位置が極位置位置決め磁石８０の位置に倣い回転する様子を示す。
図１４（Ｒ）は極異方性リング磁石１００を極位置位置決め治具５０に挿入した直後の図、図１４（Ｓ）は極位置位置決め治具５０に配置された３つの極位置位置決め磁石８０の磁界に倣って極異方性リング磁石１００が回転し極異方性リング磁石１００の極と極位置位置決め治具５０の極位置位置決め磁石８０の周方向の位置が一致した後の図である。図１４（Ｒ）において挿入した磁石は極位置位置決め磁石に吸引され矢印方向に回転し図１４（Ｓ）に示すように極位置位置決め磁石の位置と磁極の位置が一致する。
【００４１】
図１５は第三の実施形態を示す極異方性リング磁石の製造方法を示す斜視図である。極位置位置決め治具５０の軸方向の前後には棒状の一対のレール２４、２５が配置してあり、レールは極位置を位置決めする極異方性リング磁石１００が極位置位置決め治具の中央部の孔部へ挿入、排出できるように高さと幅を調節してある。極異方性リング磁石１００は図示しない移載手段により前部のレール２４に載置される。２３は極異方性リング磁石１４を極位置位置決め治具２０に挿入するための押し込み手段（押し出し手段）であり、円盤状の頭部２１と押し込み棒２２によって構成される。    
押し込み棒２３は図示しない押し込み機構により、極異方性リング磁石１００を極位置位置決め治具５０に挿入する。極位置位置決め治具５０に挿入された極異方性リング磁石１００は前述の作用によって磁極の位置が極位置位置決め治５０具の極位置位置決め磁石８０の位置(磁極の位置)にそろうこととなる。
２６は公知の印字手段(マーキング手段)である。マーキング手段２６は例えばインクジェットによる刻印装置でありノズルの先からインクを噴射する。マーキング手段２６は極位置位置決め治具５０に穿孔された孔７０を通じて、周方向に位置決めされた極異方性リング磁石１００の極位置にマーキング２７を施す。
実施の形態３によればマーキングは磁石１００が極位置位置決め治具５０に挿入された状態で行われるので、極位置とマーキングにずれが生じにくい。
【００４２】
その後再度押し込み手段（押し出し手段）により極異方性リング磁石は極位置位置決め治具２０により後部のレール２５上に押しだされる。押しだされた後の極異方性リング１００磁石のそれぞれの間隔は前後の磁石の影響受けない程度に適宜設定すればよい。
無着磁の状態で極位置にマークを施された極異方性リング磁石１００は例えば図８のごとく（磁極数は異なるが組立の参考図とする）シャフト４のＤカット５平面部とマーク２７の周方向の位置を一致させるようにシャフトの大径部６に固着させ、ローター５０を形成する。
【００４３】
本発明によれば、極位置位置決め治具５０に一対のレール２４，２５や押し込み手段等をそろえなくとも極位置位置決め治具５０のみでも使用することができる。極位置位置決め治具５０を単体で使用する際には、極位置のわからない極異方性リング磁石１００を極位置位置決め磁石５０に例えば手を使って挿入し、極位置が極位置位置決め磁石８０とそろった段階でマーキング孔７０の位置にマジック等で極位置を記入すればよい。
【００４４】
本発明において、極数分の磁石を等配したが、極数を除く約数分の磁石を配置することでも本発明は実施可能である。その際は選択する約数によって隣り合う磁石の磁極は同極となる場合と異極となる場合があるが極位置を位置決めする磁石の極位置の磁極の向きに合わせ適宜設定する。
【００４５】
開示された実施の形態は、すべての点で例示であって限定されることはない。本発明の範囲は特許請求の範囲によって示され、特許請求の範囲と均等の範囲の変更はすべて含まれる。
【符号の説明】
【００４６】
１  ５０，６０  ローター
２  極異方性リング磁石（極位置を示す凹部を有する）
３  凹部
４  ローターシャフト
５  Ｄカット
６  ローター大径部
７  配向の様子
９  ローターヨーク
１０  円筒体
１１  貫通孔
１２  溝部
１３  磁石
１４  極異方性リング磁石（極位置を示す凹部を有さない）
１５  スペーサ
２０  極位置位置決め治具
２３  磁石押し込み(押し出し)手段
２４  ２５  レール
２６  印字手段
２７  マーク（極位置を示す）
３０  極異方性リング磁石移載手段
４０  ローターヨーク移動手段
５０  極位置決め治具（４極異方性）
６０（６０ａ、６０ｂ）溝
７０  マーキング孔
８０（８０ａ、８０ｂ）極位置位置決め磁石
９０  貫通孔（極位置位置決め治具）
１００  極異方性リング磁石（４極異方性）
１１０  磁極数４極の極異方性リング磁石の配向の様子
１２０  貫通孔
【図１】
2020161784.tif 000003
【図２】
2020161784.tif 000004
【図３】
2020161784.tif 000005
【図４】
2020161784.tif 000006
【図５】
2020161784.tif 000007
【図６】
2020161784.tif 000008
【図７】
2020161784.tif 000009
【図８】
2020161784.tif 000010
【図９】
2020161784.tif 000011
【図１０】
2020161784.tif 000012
【図１１】
2020161784.tif 000013
【図１２】
2020161784.tif 000014
【図１３】
2020161784.tif 000015
【図１４】
2020161784.tif 000016
【図１５】
2020161784.tif 000017